(57)【要約】【課題】流し台の移動距離が限定されず、生活シーンに合せていろいろな場所で調理可能で、簡易で安価な機構で着脱可能で、移動設置可能な流し台並びにそれを用いた建物、建物ユニット及びユニット建物を提供すること。【解決手段】流し台本体１が移動可能になされ、流し台本体１の移動先の床下４０に予め設置されている建物側の給水管２４、給湯管２３及び排水管２２の各配管接続部に流し台１側の給水管１６４、給湯管１６３及び排水管１３の各配管が接続されて使用可能になされている。【選択図】図１
2004293055.tif 000002
【特許請求の範囲】
【請求項１】
流し台本体が移動可能になされ、流し台本体の移動先の床下等に予め設置されている建物側の給水管、給湯管及び排水管の各配管接続部に流し台側の給水管、給湯管及び排水管の各配管が接続されて使用可能になされることを特徴とする移動設置可能な流し台。
【請求項２】
前記複数の配管部の接続は、給水管、給湯管部においてはカプラーが用いられ、排水管部においては接続時に弁が開となり、分離時に弁が閉となる差込式になされていることを特徴とする請求項１記載の移動設置可能な流し台。
【請求項３】
前記流し台本体の下部にキャスターが装着されていて移動可能になされたことを特徴とする請求項１記載の移動設置可能な流し台。
【請求項４】
前記流し台本体を移動先の所定の位置で固定する手段が備えられたことを特徴とする請求項１記載の移動設置可能な流し台。
【請求項５】
移動設置可能な流し台の移動先が複数設定され、建物側の給水管、給湯管及び排水管と流し台側の給水管、給湯管及び排水管とを接続していない状態では、各移動先の床下等の建物側の配管接続部は閉状態にでき、接続時に配管が貫通することとなる床面開口が化粧材で覆われていることを特徴とする建物。
【請求項６】
建物側の給水管、給湯管及び排水管と流し台側の給水管、給湯管及び排水管とを接続している時に配管の貫通する床面開口と、床下等の建物側の各配管接続部を支持する配管支持部とを備えたことを特徴とする建物ユニット。
【請求項７】
建物ユニットを組み合わせて構築されたユニット建物であって、少なくとも１つの建物ユニットは請求項６記載の建物ユニットであることを特徴とするユニット建物。
【発明の詳細な説明】
【０００１】
【発明の属する技術分野】
本発明は、移動設置可能な流し台並びに建物、建物ユニット及びユニット建物に関する。
【０００２】
【従来の技術】
従来の住宅においては、台所や洗面所に備え付けられている調理台や洗面化粧台等の流し台は、全て床や壁や柱等と一体的に構成されている場合が一般的である。また、家族構成の変化や生活環境に変化があった場合に、これらの設備を移動することができる可動式キッチン機構が知られている（特許文献１）。或いは理美容院等において使用することができる移動設置可能な洗浄装置が知られている（特許文献２）。
【０００３】
【特許文献１】
特開平１０−８５０６５号公報
【特許文献２】
特許第２５０２２６１号公報
【０００４】
【発明が解決しようとする課題】
上記特許文献１の技術にあっては、可動式キッチンとしての流し台のパイプや排水口等を移動可能とするために、給水管や排水管等はフレキシブルなパイプにて床下に到るように構成されている。しかし、パイプや排水口等の接続部を切り離す機構はないので移動できる距離は限定されたものである。
【０００５】
また上記特許文献２の技術にあっては、理美容院において、移動用シャンプーユニットを収納装置に備えておき、洗髪作業を行なう際に移動して、該移動用シャンプーユニットを理美容椅子の近傍に配置した床下の給湯又は給水及び排水管に接続するだけで、所定の作業を行えるようにしたものである。しかし、床下ユニット及び移動用シャンプーユニットの機構は頻繁に接続、分離を行えるように、複雑で高価な装置となるものであった。また、シャンプーユニットは日常業務として頻繁に移動するものであり、流し台とは無関係である。しかも、流し台からは髪の毛以外の固形分やゲル状物も排水に混ざることがあり、シャンプーユニットの排水機構は一般家庭の流し台には不向きである。
【０００６】
そこで、本発明は、上記のような問題に着目し、流し台の移動距離が限定されず、生活シーンに合せていろいろな場所で調理可能で、簡易で安価な機構で着脱可能で、移動設置可能な流し台並びに建物、建物ユニット及びユニット建物を提供することを目的としている。
【０００７】
【課題を解決するための手段】
上記目的を達成するために、請求項１記載の移動設置可能な流し台の発明では、流し台本体が移動可能になされ、流し台本体の移動先の床下等に予め設置されている建物側の給水管、給湯管及び排水管の各配管接続部に流し台側の給水管、給湯管及び排水管の各配管が接続されて使用可能になされることを特徴とするものである。
【０００８】
このように構成した請求項１記載の移動設置可能な流し台によれば、移動先毎に建物側の管と流し台側の管が接続されるので、流し台の移動距離が限定されず、生活シーンに合せて、リビングダイニング空間に限らずテラス等の屋外空間のいろんな場所で設置し使用することができる。
【０００９】
また、請求項２記載の移動設置可能な流し台の発明では、請求項１記載の移動設置可能な流し台の発明において、前記複数の配管部の接続は、給水管、給湯管部においてはカプラーが用いられ、排水管部においては接続時に弁が開となり、分離時に弁が閉となる差込式になされていることを特徴とするものである。
【００１０】
このように構成した請求項２記載の移動設置可能な流し台によれば、流し台の移動先での着脱の方式・構造は簡単であるので、特別な工具を必要とせず、容易に設置することができる。また分離時に弁が閉となっているので移動時に排水が流れない。
【００１１】
また、請求項３記載の移動設置可能な流し台の発明では、請求項１記載の移動設置可能な流し台の発明において、前記流し台本体の下部にキャスターが装着されていて移動可能になされたことを特徴とするものである。
【００１２】
このように構成した請求項３記載の移動設置可能な流し台によれば、流し台本体を所定の移動先までキャスターにより容易に移動することができる。
【００１３】
また、請求項４記載の移動設置可能な流し台の発明では、請求項１記載の移動設置可能な流し台の発明において、前記流し台本体が移動先の所定の位置で固定する手段が備えられたことを特徴とするものである。
【００１４】
このように構成した請求項４記載の移動設置可能な流し台によれば、流し台本体を所定の移動先で不意に動くことがないように安定して固定することができる。
【００１５】
また、請求項５記載の発明では、移動設置可能な流し台の移動先が複数設定され、建物側の給水管、給湯管及び排水管と流し台側の給水管、給湯管及び排水管とを接続していない状態では、各移動先の床下等の建物側の配管接続部は閉状態にでき、接続時に配管が貫通することとなる床面開口が化粧材で覆われていることを特徴とする建物である。
【００１６】
このように構成した請求項５記載の建物によれば、流し台の移動先は複数設定され、接続されない状態では床面が化粧材で覆われているので安全性、意匠性が確保されて見栄えが良い建物が得られる。
【００１７】
さらに、請求項６記載の発明では、建物側の給水管、給湯管及び排水管と流し台側の給水管、給湯管及び排水管とを接続している時に配管の貫通する床面開口と、床下等の建物側の各配管接続部を支持する配管支持部とを備えたことを特徴とする建物ユニットである。
【００１８】
さらに、請求項７記載の発明では、建物ユニットを組み合わせて構築されたユニット建物であって、少なくとも１つの建物ユニットは前記請求項６記載の建物ユニットであることを特徴とするユニット建物である。
【００１９】
このように構成した請求項６記載の建物ユニット及び請求項７記載のユニット建物によれば、工場の生産ラインで安定した高品質で安価な移動設置可能な流し台が組み込まれた建物ユニット及びこれらを組み合わせて構築されたユニット建物が得られる。建物ユニット輸送時にも配管支持部により各配管接続部が支持されているので、建築現場での施工の際に配管位置の調整が簡単になる。
【００２０】
【発明の実施の形態】
以下、本発明の具体的な実施の形態について、図面を参照しつつ説明する。
図１（イ）は移動設置可能な流し台と床下に設置された配管部の非接合状態を示す模式図、（ロ）は接続状態を示す模式図である。
【００２１】
図中１は流し台（本体）で、この流し台本体１において１００は枠体、１０１はカウンター、１１はシンク（流し水槽）、１２は排水トラップ（残渣用又は臭気用）、１３は流し台側排水管、１４は流し台側排水管接続部、１４１は面止水パッキン、１４２は止水玉、１５は混合水栓、１６３１、１６４１はカプラー（メス）、１６３は流し台側給湯管、１６４は流し台側給水管、１７は上下可動ユニット、１７１はスライド機構、１７２はガイドピン、１８はキャスターである。
【００２２】
次に本発明の流し台本体１の構成と機能を説明する。流し台本体１は上部にカウンター１０１とシンク１１を備え、これらを支持する枠体１００を備えている。枠体１００に代えて面材を用いて箱状にしても良いし、枠体１００に面材を取り付けて箱状としても良い。シンク１１は主要な機能である給湯給水を行う混合水栓１５及びシンク１の下部に排水の為の排水トラップ１２を備えている。そして流し台本体１の中にはフレキシブル管でできていて上端が混合水栓１５に到る流し台側給湯管１６３、給水管１６４及び排水トラップ１２からの排水を誘導する流し台側排水管１３と流し台側排水管１３下端に設けられた排水管接続部１４が収納されている。流し台本体１の下部に上下可動ユニット１７が設けられている。また、上下可動ユニット１７はスライド機構１７１を有し、流し台側給湯管１６３、給水管１６４や排水管接続部１４が次に説明する床下等に予め設置されている建物側の配管部２と容易に接続し易いようになされている。また、流し台側給湯管１６３、給水管１６４の下端にはカプラー（メス）１６３１、１６４１が取り付けられて配管接続部とされている。また、上下可動ユニット１７は下部にガイドピン１７２を有し、次に説明する床下の配管部２との嵌合の際の位置決め機能と、嵌合後流し台を固定する機能を有する。上下可動ユニット１７にはカプラー（メス）１６３１、１６４１、排水管接続部１４が一体的に上下移動可能なようにまとめられている。また、流し台本体１の下部には移動用のキャスター１８が取り付けられている。流し台本体１を水平方向に動かすと、キャスター１８の車輪の転動により、上下可動ユニット１７を含む流し台本体１全体が容易に移動する。
【００２３】
一方、２は床下等に予め設置されている建物側の配管部で、２０は床面開口、２１は床蓋（化粧材）、２２は排水管、２２１は排水管用蓋、２３は給湯管、２４は給水管、２３１，２４１はカプラー（オス）、２３２，２４２は分岐管、２５は配管支持部、２５１はガイドピン受け部、３は排水アダプターである。
【００２４】
次に建物側に設置された配管部２の構成と機能を説明する。流し台本体１が設置されることとなる床の複数ヶ所には、配管の貫通する床面開口２０がそれぞれ形成されており、それぞれの場所が移動設置可能な流し台本体１の移動先として設定される。流し台本体１が設置されていない床面開口２０では、床面開口２０を貫通する管はなく、床面開口２０は床蓋２１で蓋がされていて床４１とほぼ面一にされて、安全性、意匠性が確保されている。床面開口２０の下には、配管支持部２５が備えられ、配管部２の建物側の排水管２２、給湯管２３及び給水管２４の各配管接続部が支持されている。そして、排水管２２の上端には排水管用蓋２２１が被せられており、流し台本体１の排水管接続部１４との嵌合時には排水管用蓋２２１は取り外される。また、給湯管２３及び給水管２４の各接続部の上端にはそれぞれカプラー（オス）２３１，２４１が取付けられていて流し台本体１の給湯管１６３、給水管１６４の下端のカプラー（メス）１６３１，１６４１と嵌合できるようにされている。また、配管支持部２５の両端にはガイドピン受け部２５１が設けられていて、流し台本体１に設けられた上下可動ユニット１７の下部のガイドピン１７２と嵌合できるようにされている。
【００２５】
建物側の各配管のそれぞれ同種のものの合流や分岐は適宜の方法でよい。図１では排水管２２を配管支持部２５で合流させず、給湯管２３、給水管２４は分岐管２３２，２３４でそれぞれ分岐させている。分岐された給湯管２３、給水管２４は他の流し台の移動先を経由して不図示の固定された混合水栓に到る。
流し台本体１の給湯管１６３、給水管１６４の配管接続部のカプラー（メス）１６３１，１６４１及び建物側の給湯管２３、給水管２４の配管接続部のカプラー（オス）２３１，２４１には不図示の弁が付いていて、カプラー（メス）１６３１とカプラー（オス）２３１との接続時、カプラー（メス）１６４１とカプラー（オス）２４１との接続時にはそれぞれ開となり、それぞれの分離時にはそれぞれのカプラーの弁は閉となる。
流し台本体１の排水管接続部１４の下端の排水口１４４は止水玉１４２により分離時には閉となっている。そして、排水管接続部１４と床下の排水管２２との接続時には、両者の間に排水アダプター３が取り付けられる。排水アダプター３は建物側配管接続部に支持され、排水口１４４の位置に対応して上方に突出する突起３１を備え、突起３１周辺は上下連通する穴となっており、排水口１４４の位置で排水が通過できるようになっている。排水アダプター３の突起３１を上に向けて排水アダプター３を排水管２２の上端の建物側配管接続部に載せ、排水管接続部１４を接続させると、排水アダプター３の突起３１が排水口に差し込まれ、突起３１が止水玉１４２を押し上げ、排水口１４４が開となり排水管路が確保される。この際、止水玉１４２が排水管接続部１４に取付けられた玉止ピン１４３により横移動を防止され、常に排水管接続部１４の管の中心で上下するように制御される。
図１では排水管接続部１４の底にある排水口１４４周囲が平坦で玉止ピン１４３により止水玉１４２の横移動防止する手段としていたが、排水管接続部１４の底部に傾斜を設けて、止水玉１４２が自然にころがって、最下端の排水口１４４を塞ぐようにしても良い。
【００２６】
次に図１に基づいて移動設置可能な流し台の接合方法を説明する。流し台本体１の下部に取付けられたキャスター１８により、流し台本体１を移動先として選択された床面開口２０の上に移動させる。流し台本体１が床面開口２０の上に来るのに前後して、床面開口２０を覆う床蓋２１を取る。
次いで排水管２２の排水管用蓋２２１を取り外し、排水アダプター３を排水管２２の上端である接続部上に取付ける。次いで流し台本体１の給湯管１６３、給水管１６４及び排水管１３の各配管接続部を建物側の給湯管２３、給水管２４及び排水管２２の各配管接続部の真上に移動する。そして、流し台本体１の排水管接続部１４を床下の排水管２２の接続部に差し込むことにより、排水アダプター３が止水玉１４２を押し上げて、排水口１４４が開となる。また、流し台本体１の給湯管１６３、給水管１６４のカプラー（メス）１６３１，１６４１と床下４０の配管部２の給湯管２３及び給水管２４のカプラー（オス）２３１，２４１とを嵌合・接続する。
尚、カプラー（メス）とカプラー（オス）を嵌合・接続すると、それぞれの弁が開となるだけでなく、水圧で分離しないようにロックがかかる。ロックを外すと、カプラー（メス）とカプラー（オス）を分離することができ、分離するとそれぞれの弁が閉となる。
【００２７】
この実施の形態では、上記接続作業の際には、上下可動ユニット１７をスライド機構１７１に沿って降ろすことにより、一括して３つの配管の接続を行うことができる。図１（ロ）に示す流し台本体１の床下４０の配管部２との接合の状態になるように、流し台本体１の上下可動ユニット１７を床下４０の配管部２の配管接続部２５に移動・接続し、上下可動ユニット１７のガイドピン１７２を配管接続部２５のガイドピン受け部２５１に降ろして嵌合し、固定設置する。すると、流し台本体１もこの位置に固定される。
このように固定設置された移動設置可能な流し台１は、調理の際に混合水栓１５を開にする事により、温水又は冷水が床下の給湯管２３と給水管２４を通り、流し台本体１側の給湯管１６３、給水管１６４を経由して混合水栓１５で適宜の温度の温水として出てくる。そして、調理に使用され、残余の温水及び調理残物等はシンク１１からトラップ１２、流し台側排水管１３、流し台側排水管接続部１４、排水口１４４を通り、床下の排水管２２を通って下水道などの屋外に排出される。この際大きい残物等はトラップ１２上端の不図示の金網で捕捉され、細かな残物等は流し台側排水管接続部１４の玉止ピン１４３の隙間を通って屋外に排出される。
【００２８】
また、生活シーンの変更に伴い流し台本体１を予め設けられた別の移動先に移動する場合には、カプラー（メス）１６３１とカプラー（オス）２３１、カプラー（メス）１６４１とカプラー（オス）２４１とを分離できる状態になるようにロックを解除し、現在設置されている流し台本体１の上下可動ユニット１７のガイドピン１７２を床下４０の配管接続部２５のガイドピン受け部２５１から引き抜く。このようにして上下可動ユニット１７を持ち上げると、流し台本体１の給湯管１６３、給水管１６４のカプラー（メス）１６３１，１６４１と床下４０の配管部２の給湯管２３及び給水管２４のカプラー（オス）２３１，２４１とを分離できる。また、流し台本体１の排水管接続部１４を床下の排水管２２の接続部から分離できる。そして、排水アダプター３を取り出し、排水管用蓋２２１を床下４０の排水管２２の上端に取付けて蓋をする。その後、流し台本体１を予め設けられた別の移動先にキャスター１８の車輪の転動により移動する。また、不使用になった移動先の開口部に床蓋（化粧材）２１を覆うと床面が面一になり安全性、意匠性が確保される。移動中は給湯管１６３、給水管１６４のカプラー（メス）１６３１，１６４１の弁が閉、排水管接続部１４では止水玉１４２が排水口１４４を閉じ、管内に残った水や排水等が床に垂れ落ちない。
【００２９】
図２は移動設置可能な流し台のプラン（間取り）例を示し、（イ）はＬＤＫ（リビングダイニングキッチン）ルームの中で図のキッチン右側の間仕切の中に流し台を収納した平面図、（ロ）はＬＤＫルームの真ん中に流し台を島のように配置した平面図、（ハ）はＬＤＫに隣接して図の下部のテラスに流し台を配置した平面図を示している。即ちこの建物には床下に配管接続用床面開口が数箇所あり、それぞれ生活シーンに合わせて（イ）、（ロ）、（ハ）と変更した例を示すものである。図３は建物ユニットを４つ一体化した大空間ユニットを示す平面図である。
【００３０】
図２中１００はユニット建物を示し、５０は図３の４つの輸送単位の建物ユニット５０１を一体にして、中にある４つの柱５１を取り除いた大空間のＬＤＫユニット（図中下部にあるテラスを除く）である。このＬＤＫユニット５０の中に１が本発明の移動設置可能な流し台、４は調理台、５は冷蔵庫、６は食卓、６１は椅子、７はソファー、８は階段、９は可動間仕切、１０は食器棚である。また６０はテラスである。ユニット建物１００はＬＤＫユニット５０を含む複数の建物ユニット５０１を組み合わせて構築される。
【００３１】
図２（イ）は集いの場を居室中心したプラン例であって、ユニット建物１００の大空間のＬＤＫユニット５０の図中右側に流し台１，調理台４，冷蔵庫５が納められた例である。そして、可動間仕切９で流し台１と調理台４と冷蔵庫５を仕切ることができる。このため大空間のＬＤＫユニット５０内には流し台１等の調理装置のない大きな空間を得ることができる。そして、大空間のＬＤＫユニット５０は安全な子供の遊び場であるとか、各種料理教室に利用するとか、可動間仕切９の表面を使ってプロジェクターによる投影をすることもできる。
【００３２】
図２（ロ）は流し台１を大空間のＬＤＫ５０の中心に据えた交流型プラン例であって、ユニット建物１００の大空間のＬＤＫユニット５０の真ん中に予め床下に設けられた配管部に流し台１を接続して設置することで、交流型のアイランド・スタイルが得られる。家事を行う際の動線も短く、ＬＤＫ全体が見渡せ、使い勝手も良いレイアウトとすることができる。
【００３３】
図２（ハ）は流し台１をテラスに設置したアウトドアキッチンのプラン例であって、ユニット建物１００の大空間のＬＤＫユニット５０に隣接するテラス６０の下部に予め設けられた配管部に流し台１を接続し，また、調理台４を設置することでアウトドア・キッチンが得られる。このような構成のテラスダイニングであるので食事を出しやすく、気持ちの良い外空間で季節の変化を食事と共に楽しむことができる。
【００３４】
このユニット建物１００は上記の例のように床下或いはテラス下部に配管接続用開口が数箇所あり、給湯・給水配管は並列（途中で合流）に接続され、排水は直列に接続される。ガス又は電力も配管接続用開口に接続部が収められており、流し台１の近傍で利用できるようになっている。これらの配管接続部や電気線接続部は建物ユニット５０１の床下の配管支持部に支持されており、工場で建物ユニット５０１を生産している段階から配管接続部を取付けた状態で輸送や施工現場設置が可能になっている。このように、建物ユニット輸送時にも配管支持部により、建物側の各配管接続部が支持されているので、建築現場での施工の際に配管位置の調整が簡単になる。
【００３５】
調理台４にある加熱調理手段としては、ガスの場合ガスコンロ、オーブンが備え付けられ、電気の場合は電気コンロ、オーブン、或いは電磁誘導加熱式加熱装置（ＩＨヒーター）、マイクロ波式加熱装置（電子レンジ）が備え付けられている。また、ガス管が配管されていない場合にはガスボンベでガスを調達する方式でも良い。或いは固形燃料燃焼型コンロ、炭等が用いられる調理台であっても良い。
【００３６】
以上、本発明の実施の形態を図面により詳述してきたが、具体的な構成はこの実施の形態に限られるものではなく、本発明の要旨を逸脱しない範囲における設計の変更等があっても本発明に含まれる。
【００３７】
例えば、流し台としてキッチン流し台を例に説明してきたが、給湯、給水配管及び排水管が設置される洗面化粧台やユニットバス等の流し台においても可動式にすることで、子供の増加成長による間取りの変更が必要になり、洗面化粧台を移動する、或いは老齢化に伴う浴槽の位置を移動する等の生活の変化に容易に対応することができる。
【００３８】
【発明の効果】
以上説明したように、請求項１記載の本発明にあっては、移動先毎に建物側の管と流し台側の管が接続されるので、流し台の移動距離が限定されず、生活シーンに合せて、リビングダイニング空間に限らずテラス等の屋外空間のいろんな場所で設置し使用することができるという効果が得られる。
【００３９】
請求項２記載の本発明にあっては、流し台の移動先での着脱の方式・構造は簡単であるので、特別な工具を必要とせず、容易に設置することができる。また分離時に弁が閉となっているので移動時に排水が流れないという効果が得られる。
【００４０】
請求項３記載の本発明にあっては、流し台本体を所定の移動先までキャスターにより容易に移動することができるという効果が得られる。
【００４１】
請求項４記載の本発明にあっては、流し台本体を所定の移動先で不意に動くことがないように安定して固定することができるという効果が得られる。
【００４２】
請求項５記載の本発明にあっては、流し台の移動先は複数設定され、接続されない状態では床面が化粧材で覆われているので安全性、意匠性が確保されて見栄えが良い建物が得られる。
【００４３】
請求項６及び請求項７記載の本発明にあっては、工場の生産ラインで安定した高品質で安価な移動設置可能な流し台が組み込まれた建物ユニット及びこれらを組み合わせて構築されたユニット建物が得られる。建物ユニット輸送時にも配管支持部により各配管接続部が支持されているので、建物現場での施工の際に配管位置の調整が簡単になる。
【図面の簡単な説明】
【図１】（イ）は移動設置可能な流し台と床下に設置された配管部の非接合状態を示す模式図、（ロ）は接続状態を示す模式図である。
【図２】移動設置可能な流し台のプラン（間取り）例を示し、（イ）はＬＤＫルームの中で図のキッチン右側の間仕切の中に流し台を収納した平面図、（ロ）はＬＤＫルームの真ん中に流し台を島のように配置した平面図、（ハ）はＬＤＫに隣接して図の下部のテラスに流し台を配置した平面図を示している。
【図３】建物ユニットを４つ一体化した大空間ユニットを示す平面図である。
【符号の説明】
１  流し台（本体）
１１    シンク
１２    トラップ
１３    流し台側排水管
１４    流し台側排水管
１５    混合水栓
１６３    流し台側給湯管
１６４    流し台側給水管
１７  上下可動ユニット
１８    キャスター
２        配管部
２０    床面開口
２１    床蓋
２２    排水管
２３    給湯管
２４    給水管
２５    配管支持部
３    排水アダプター
４      調理台
５      冷蔵庫
６      食卓
７      ソファー
８      階段
９      可動間仕切
４０    床下
４１    床
５０    リビングダイニングキッチン（ＬＤＫ）ユニット
５１    柱
６０    テラス
１００    ユニット建物
５０１    建物ユニット
【図１】
2004293055.tif 000003
【図２】
2004293055.tif 000004
【図３】
2004293055.tif 000005